(57)【要約】【課題】  レンズ保護キャップと空気フィルターとしての両方の機能を兼ね備えたキャップを提案し、併せてそのキャップを備えたプロジェクタを提供することを目的とする。【解決手段】  プロジェクタの投写レンズ３０先端に取り付けられるレンズキャップ２０の投写レンズ対向面を、複数の通気孔を有する通気孔部２２と空気フィルター２５とを有する構成とし、このレンズキャップ２０をプロジェクタ筐体４０の吸気孔部４１に取り付けて空気フィルターとしても利用できるようにするとともに、レンズキャップ２０を吸気孔部４１に取り付けている時にはプロジェクタのシステム電源をＯＮ状態とし、吸気孔部４１から取り外している時にはプロジェクタのシステム電源をＯＦＦ状態とする。【選択図】図１
2005221608.tif 000002
【特許請求の範囲】
【請求項１】
レンズの先端に取り付け可能なレンズキャップであって、該レンズキャップは、前記レンズとの対向面に複数の通気孔と空気フィルターとを有する構成としたことを特徴とするレンズキャップ。
【請求項２】
前記レンズキャップに対して前記空気フィルターを着脱自在に取り付けることを特徴とする請求項１記載のレンズキャップ。
【請求項３】
投写画像を生成する装置が組み込まれた筐体と、前記筐体に複数の通気孔が形成された吸気孔部と、前記筐体を貫通して配置され前記画像を投写する投写レンズと、前記投写レンズの先端に取り付けられるレンズキャップとを備えたプロジェクタにおいて、
前記レンズキャップとして請求項１ないし２のいずれかに記載のレンズキャップを備えるとともに、前記レンズキャップを空気フィルターとして前記吸気孔部に取り付け取り外し可能としたことを特徴とするプロジェクタ。
【請求項４】
前記レンズキャップを前記吸気孔部に取り付けることによりプロジェクタのシステム電源をＯＮ状態とし、前記レンズキャップを前記吸気孔部から取り外すことによりプロジェクタのシステム電源をＯＦＦ状態とすることを特徴とする請求項３記載のプロジェクタ。
【請求項５】
前記システム電源のＯＮ／ＯＦＦは、前記吸気孔部に配したスイッチと前記レンズキャップとの当接を利用して行うことを特徴とする請求項４記載のプロジェクタ。
【発明の詳細な説明】
【技術分野】
【０００１】
本発明は、レンズの保護キャップと空気フィルターとしての機能を兼ね備えたレンズキャップに関し、併せてそのレンズキャップを備えたプロジェクタに関する。
【背景技術】
【０００２】
プロジェクタの投写レンズにはその先端面を保護するために密閉構造のレンズキャップが広く用いられている（例えば、特許文献１）。一方、プロジェクタはその内部に冷却風を導入するための吸気孔部を有しており、そこにはプロジェクタ内部へ塵や埃が入るのを阻止する空気フィルターが設けられている（例えば、特許文献２）。このように、従来は、レンズキャップと空気フィルターとはそれぞれ別個の部品として、プロジェクタに備えられていた。
【特許文献１】特開２００３−８４３６７号公報
【特許文献２】特開２００２−４０５５７号公報（段落００２１など）
【発明の開示】
【発明が解決しようとする課題】
【０００３】
しかしながら、上記のレンズキャップと空気フィルターとを１個の部品で兼用できるならば、レンズ保護のためのレンズキャップと内部空冷のための空気フィルターとを必要とするプロジェクタなどの製品の部品点数の削減、およびそれらの製造に用いる金型種類の削減が可能となり、その分、製品コストを下げることが可能となる。本発明は、この点に着目してなされたもので、レンズ保護キャップと空気フィルターの両方の機能を兼ね備えたレンズキャップを提案し、併せてそのレンズキャップを備えたプロジェクタを提供することを目的とする。
【課題を解決するための手段】
【０００４】
本発明のレンズキャップは、レンズの先端に取り付け可能なレンズキャップであって、該レンズキャップは、前記レンズとの対向面に複数の通気孔と空気フィルターとを有する構成としたことを特徴とする。このレンズキャップは、レンズの保護キャップまたは空気フィルターのいずれにも適用できるという点で利点を有する。    
【０００５】
また、前記レンズキャップに対して前記空気フィルターを着脱自在に取り付けることを特徴とする。これにより、空気フィルターを定期的に交換でき、空気フィルターを常に良い状態に保つことができる。
【０００６】
本発明のプロジェクタは、投写画像を生成する装置が組み込まれた筐体と、前記筐体に複数の通気孔が形成された吸気孔部と、前記筐体を貫通して配置され前記画像を投写する投写レンズと、前記投写レンズの先端に取り付けられるレンズキャップとを備えたプロジェクタにおいて、上記いずれかに記載のレンズキャップを備えるとともに、前記レンズキャップを空気フィルターとして前記吸気孔部に取り付け取り外し可能としたことを特徴とする。このプロジェクタによれば、１つのレンズキャップを、投写レンズの保護キャップまたは吸気孔部における空気フィルターのいずれかに状況に応じて使い分けることができる。これにより、従来、別々に必要とされていた部品点数の削減、およびそれらの製造に用いる金型種類の削減が可能となる。
【０００７】
前記レンズキャップを前記吸気孔部に取り付けることによりプロジェクタのシステム電源をＯＮ状態とし、前記レンズキャップを前記吸気孔部から取り外すことによりプロジェクタのシステム電源をＯＦＦ状態とすることを特徴とする。これにより、吸気孔部に空気フィルターが備えられている場合にのみ吸気ファンが動作するので、吸気ファンの作用によりプロジェクタの内部へ塵や埃が入るのが防止される。
【０００８】
前記システム電源のＯＮ／ＯＦＦは、前記吸気孔部に配したスイッチと前記レンズキャップとの当接を利用して行うことを特徴とする。これによれば、レンズキャップが吸気孔部にあるか否かを基準に前記システム電源のＯＮ／ＯＦＦが決定されるため、システム電源のＯＮ／ＯＦＦが適時に行われることとなる。
【発明を実施するための最良の形態】
【０００９】
以下に、本発明の好適な例を図を参照しながら説明する。図１は本発明の実施形態に係るレンズキャップ２０の斜視図である。このレンズキャップ２０は、投写レンズなどのレンズ先端外周に嵌合する断面が例えばＬ字状の円形外周部２１と外周部２１の内側において複数のスリット状開孔が形成された通気孔部２２とを有した枠体２３と、この枠体２３の通気孔部２２に配置される多孔性の空気フィルター２５とからなる。枠体２３は樹脂の成形品などとしてよく、空気フィルター２５は枠体２３の外周部２１の内側に嵌合する環状リング（図示せず）などにより枠体２３に対して着脱自在に装着される。
【００１０】
なお、通気孔部２２に形成される通気孔はスリット状開孔に限られるものではなく、円形状開孔、矩形状開孔など任意の形状とすることができる。また、このレンズキャップ２０には、バネなどの弾性体の伸縮を利用してスライドするスライド片２５が外周部２１から突出しているが、この作用については後述する。
【００１１】
図２は上記のレンズキャップ２０を投写レンズ３０に取り付けた状態を示す斜視図であり、図３はレンズキャップ２０を投写レンズ３０から取り外した状態を示す斜視図である。図２のようにすることで、投写レンズ３０のレンズ面を埃りや損傷から保護することができ、一方、投写レンズ３０を投写に用いる際には、図３のように、レンズキャップ２０を外して使用する。
【００１２】
図４、図５は上記のレンズキャップ２０をプロジェクタに採用した例を示す斜視図であ
る。これらの図に示すプロジェクタは、投写画像を生成する装置が組み込まれた筐体４０を備え、その筐体４０の上面に複数の通気孔が形成された吸気孔部４１が形成され、筐体４０の前面に複数の通気孔が形成された排気孔部４２が形成されている。吸気孔部４１の直下には後述する吸気ファンが、そして排気孔部４２の手前には排気ファンがそれぞれが配置されている。また、このプロジェクタにおいては、筐体４０の上面にスピーカ４３と、複数のスイッチが配置された操作部４４とを備えている。そしてさらに、上記画像を投写する投写レンズ３０が筐体４０の前面を貫通して配置されている。
【００１３】
このプロジェクタには１個のレンズキャップ２０が付随されており、そのレンズキャップ２０を投写レンズ３０の保護キャップとして、あるいは吸気孔部４１における空気フィルターとして選択的に使用するようにしている。従って、投写レンズ３０の先端外径と吸気孔部４１の外径はほぼ等しく構成されている。図４はレンズキャップ２０が投写レンズ３０に取り付けられている状態を示しており、この場合、吸気孔部４１に空気フィルターはなく、その部分は筐体４０の通気孔が直接見える凹んだ状態となっている。これに対して、図５はレンズキャップ２０が吸気孔部４１に取り付けられている状態を示しており、従って投写レンズ３０の先端部は開放されている。なお、レンズキャップ２０の吸気孔部４１に対する取り付けは、レンズキャップ２０を吸気孔部４１の凹部に嵌め込むことで行うことができ、一方その取り外しは、操作部４４などに設けたイジェクトボタンに連動してレンズキャップ２０を吸気孔部４１の凹部から持ち上げるイジェクトピンなどを備えて行うことができる。
【００１４】
さらに、このプロジェクタの吸気孔部４１にはプロジェクタのシステム電源をＯＮ／ＯＦＦするスイッチ５０を配置し、レンズキャップ２０が吸気孔部４１に取り付けられると、そのスイッチ５０がレンズキャップ２０のスライド片２４で押圧されて、システム電源がＯＮ状態となるようにしている。そして、レンズキャップ２０が吸気孔部４１から取りはずされると、そのスイッチ５０の押圧が開放されて、システム電源がＯＦＦ状態となるようにしている。なお、レンズキャップ２０の吸気孔部４１への着脱に伴うシステム電源のＯＮ／ＯＦＦは、上記のようなプレススイッチによるものには限られず、他の任意のスイッチを利用して行ってよい。
【００１５】
図６は上記レンズキャップ２０を１個備えたプロジェクタの構成例を示すブロック図である。このプロジェクタは、図示するように、光源としてのランプ１、ランプ１からの照明光を、赤（Ｒ）、緑（Ｇ）、青（Ｂ）の光に分離する色光分離光学系３、分離された各色光を入射しそれを所定の画像情報に従って変調し画像を生成する液晶パネル２Ｒ，２Ｇ，２Ｂ、これらの各液晶パネルで生成された画像を合成するクロスダイクロイックプリズム４、合成された画像を投写する投写レンズ３０を備える。このプロジェクタはまた、ランプ１を駆動するランプ駆動回路１Ａ、液晶パネル２Ｒ，２Ｇ，２Ｂに所定の画像情報を供給する画像処理回路２、ランプ１および液晶パネル２Ｒ，２Ｇ，２Ｂを冷却するための吸気ファン５、吸気ファン５を駆動するためのファン駆動回路５Ａ、操作部４４などと接続されたユーザーインターフェース６、音声出力ためのスピーカ４３および音声処理回路４３Ａなど有し、それらの各部が制御部７により全体として制御されている。そしてさらに、商業電源を取り込む電源部１０、および吸気孔部４１に配置され電源部１０と各部との電源供給回路をＯＮ／ＯＦＦするスイッチ５０が備えられている。
【００１６】
ここで、ランプ駆動回路１Ａ、画像処理回路２、ファン駆動回路５Ａ、および音声処理回路４３Ａについて簡単に説明を追加しておく。ランプ駆動回路１Ａは、ランプに駆動電力を供給するための回路であり、外部から供給された電力を変圧してランプ１に供給するものである。画像処理回路２は、予め内部に記憶しておいた画像またはパソコンからの画像信号を受け取り、それをＲＧＢ信号として対応する液晶パネル２Ｒ，２Ｇ，２Ｂに送るものであり、ここで画像表示のための各種の設定も行われる。音声処理回路４３Ａは、画像と共に取り込まれた音声信号をスピーカ４３から出力させるように処理するものである。ファン駆動回路５Ａは、外部から空気を取り込んでそれをランプ１および液晶パネル２Ｒ，２Ｇ，２Ｂなどに送る吸気ファン５を駆動するためのものである。
【００１７】
次に、上記レンズキャップ２０の使用法とレンズキャップ２０の取り付け位置によるプロジェクタの状態について、図７のフローチャートを基に説明する。プロジェクタを使用しない場合には、図４に示すように、レンズキャップ２０を投写レンズ３０に取り付けておく。この場合、レンズキャップ２０は投写レンズ３０の保護キャップとして作用する。プロジェクタの状態は、図６に示すスイッチ５０がＯＦＦ状態となっているため、システム電源がＯＦＦの状態となっている（Ｓ１）。次に、 プロジェクタを使用する場合には、図５に示すように、レンズキャップ２０を投写レンズ３０から外して、吸気孔部４１に取り付ける。この場合、レンズキャップ２０は吸気孔部４１で空気フィルターとして作用する。プロジェクタの状態は、図６に示すスイッチ５０がレンズキャップ２０のスライド片２４で押圧されてＯＮ状態となるため、システム電源がＯＮ状態（投写可能状態またはスタンバイ状態）となっている（Ｓ２）。プロジェクタの投写を終了する場合には、操作部４４または操作部と同様に機能するリモコンなどを操作することで、ランプ１の消灯、ランプ１のクールダウン（吸気ファン５を利用してランプ１を予め定めた温度まで冷却すること）など一連の終了動作が実行される（Ｓ３）。ランプ１のクールダウンが終了すれば、プロジェクタのシステム電源をＯＦＦにしてよいので、レンズキャップ２０を吸気孔部４１から外し、再び投写レンズ３０に取り付ける（Ｓ１）。
【００１８】
なお、必要に応じて、レンズキャップ２０に掃除機を当てて空気フィルター２５をクリーニングしたり、一定期間使用した空気フィルター２５を別の新たな空気フィルターと交換するようにしてもよい。また、また、本例のシステム電源は、プロジェクタ内部の電源部から各部に供給される電源を指しているが、システム電源のＯＮ／ＯＦＦに関係する対象を、ランプ駆動回路１Ａとファン駆動回路５Ａだけとしてもよい。
【００１９】
以上のようにレンズキャップ２０が利用されることにより、１個のレンズキャップ２０で、レンズ保護キャップまたは空気フィルターとしての機能を適時に果たすことが可能となる。そしてこれにより、プロジェクタの構成部品として従来別々に２つ必要とされていた部品点数の削減、およびそれらの製造に用いる金型種類の削減が可能となる。また、システム電源のＯＮ／ＯＦＦは上記とは別の構成で行うこととして、このレンズキャップ２０を、投写レンズ用と吸気孔部用とに２個採用したとしても、部品種類の削減という効果が得られる。
【産業上の利用可能性】
【００２０】
本発明のレンズキャップは、吸気部とレンズを備えるプロジェクタなどの装置に用いることで効果を発揮する。すなわち、そこに用いられる空気フィルターとレンズキャップとを同一部品とすることができ、さらに、レンズキャップをレンズ保護キャップまたは空気フィルターとして選択的に用いることができる場合には、これを１つ備えれば良い点で優れている。
【図面の簡単な説明】
【００２１】
【図１】本発明の実施形態に係るレンズキャップの斜視図。
【図２】図１のレンズキャップを投写レンズに取り付けた状態の斜視図。
【図３】図１のレンズキャップを投写レンズから取り外した状態の斜視図。
【図４】図１のレンズキャップを投写レンズに取り付けたプロジェクタの斜視図。
【図５】図１のレンズキャップを吸気孔部に取り付けたプロジェクタの斜視図。
【図６】本発明の実施形態に係るプロジェクタの構成を示すブロック図。
【図７】本発明の実施形態に係るレンズキャップのプロジェクタへの取り付けとプロジェクタの作用との関係を説明するフローチャート。
【符号の説明】
【００２２】
２０…レンズキャップ、２１…レンズキャップの外周部、２２…レンズキャップの通気孔部、２３…レンズキャップの枠体、２４…レンズキャップのスライド片、２５…空気フィルター、３０…投写レンズ、４０…筐体、４１…筐体の吸気孔部、５０…スイッチ。
【図１】
2005221608.tif 000003
【図２】
2005221608.tif 000004
【図３】
2005221608.tif 000005
【図４】
2005221608.tif 000006
【図５】
2005221608.tif 000007
【図６】
2005221608.tif 000008
【図７】
2005221608.tif 000009